(57)【要約】【課題】簡単な構造で、且つホック掛け合わせ時にホック鉤とホック受けの位置がずれていても、容易且つ正確に掛け合わせを実現可能なスマートスライドホックを提供する。【解決手段】衣料部品分野におけるスマートスライドホック、特に女性用ブラジャーのホックであって、扁平状のホック鉤１とホック受け２とを備え、前記ホック受け２はＶ型に類似した挟み受けであって、そのＶ型の両斜辺は底部の連結箇所で円弧状に連接し、当該両斜辺の上端にはホック受け２を固定するための固定孔４が設けられることを特徴とする。【選択図】図４
0003178233.tif 000002
【実用新案登録請求の範囲】
【請求項１】
扁平状のホック鉤（１）と、ホック受け（２）とを備えるスマートスライドホックにおいて、前記ホック受け（２）はＶ型に類似した挟み受けであって、そのＶ型の両斜辺は底部の連結箇所で円弧状に連接し、当該両斜辺の上端にはホック受け（２）を固定するための固定孔（４）が設けられていることを特徴とするスマートスライドホック。
【請求項２】
前記ホック受け（２）の両斜辺により形成される夾角の角度は３０〜１５０度であることを特徴とする請求項１に記載のスマートスライドホック。
【考案の詳細な説明】
【技術分野】
【０００１】
本考案は、衣料部品分野におけるスマートスライドホックに関し、特に女性用ブラジャーのホックに関するものである。
【背景技術】
【０００２】
従来のブラジャーや下着のホック受けは、規則的な矩形底部が連接した形状、即ちＵ型に類似した形状であった。この種のホック受けは対応するホック鉤と係合され、使用時には手でホック鉤と組み合わせることで、取り外し易いよう連結固定される。ここで、ホック鉤とホック受けはセットで用いる必要がある。各ブラジャー又は下着においては、一列あたりに複数組のホック鉤を同時に使用する場合があるが、ホック鉤とホック受けは一対一で対応させて使用せねばならないため、使用者は、ホック掛け合わせ時にホック鉤とホック受けの掛け合わせ位置をかなり正確に合わせなければ、ホック鉤をホック受けに掛け入れることができない。これにより、使用者にとっては装着の難易度が高く、装着に時間がかかっていた。また、ホック鉤とホック受けの位置がフロント側にない場合、或いは直接視認できない部位にある場合には、装着者によるホック操作は更に難しくなり、困難を伴っていた。即ち、従来構造のホック受けでは、使用者に対して簡便なホック掛け合わせ形式を提供できておらず、たいへん不便であった。
【考案の概要】
【考案が解決しようとする課題】
【０００３】
本考案は、前記従来技術を鑑みてなされたものであり、その目的とするところは、簡単な構造で、且つホック掛け合わせ時にホック鉤とホック受けの位置がずれていても、容易且つ正確に掛け合わせを実現可能なスマートスライドホックを提供することにある。
【課題を解決するための手段】
【０００４】
本考案の目的は、以下のように実現される。
【０００５】
扁平状のホック鉤と、ホック受けとを備えるスマートスライドホックにおいて、前記ホック受けはＶ型に類似した挟み受けであって、そのＶ型の両斜辺は底部の連結箇所で円弧状に連接し、当該両斜辺の上端にはホック受けを固定するための固定孔が設けられる。
【０００６】
前記ホック受けの両斜辺により形成される夾角の角度は３０〜１５０度であるのが好ましい。
【考案の効果】
【０００７】
以上説明したように、本考案によるスマートスライドホックでは、底部が円弧状のＶ型ホック受け構造を用い、ホック受けとホック鉤の位置合わせ精度に対する要求を引き下げることで、使用者のホック掛け動作実行時に、ホック鉤とホック受けの間に一定の位置ずれを許容するようにした。このホック掛けの位置ずれ許容範囲内において、装着者はホック鉤を容易にホック受けに掛け入れることができ、従来のホック掛けと同様の連結及び固定効果を実現しながら、ホック掛け過程における使用者の快適性を向上させることが可能となった。
【図面の簡単な説明】
【０００８】
【図１】本考案の実施形態のスマートスライドホックを構成するホック鉤の構造を示す概略図である。
【図２】本考案の実施形態のスマートスライドホックを構成するホック受けの構造を示す概略図である。
【図３】前記スマートスライドホック使用時の位置ずれ状態を示す概略図である。
【図４】前記スマートスライドホック使用における位置ずれ時に力が作用した場合の移動過程を示す概略図である。
【図５】前記スマートスライドホックにおけるホック掛け完了後の構造を示す概略図である。
【考案を実施するための形態】
【０００９】
以下、本考案を実施するための形態について図面を参照しながら詳細に説明する。
【００１０】
以下に、図１、図２、図３、図４及び図５を組み合わせて、本考案の実施形態について説明する。
【００１１】
図１と図２に示すように、本実施形態のスマートスライドホックは従来のブラジャー（下着）におけるホックと同様に、分離式の二部品組み合わせ方式を用いる。即ち、本実施形態のスマートスライドホックにおいても、ホック鉤１とホック受け２の両部分を含む。そして、ブラジャー（下着）への取り付け時には、下着において連結する一方側にホック鉤が、連結する他方側にホック受けが取り付けられる。本実施形態のスマートスライドホックのホック鉤１は扁平状であって、従来技術の構造を備える。すなわち、ホック鉤１は、全体として偏平状に形成されるともに一端部が湾曲状に曲げられて鉤部分１１として形成された構成となっている。なお、図４及び５では、鉤部分１１の位置を便宜的に○印で示している。
【００１２】
前記ホック受け２はＶ型に類似した形状の挟み受けであり、そのＶ型の両斜辺２１は、底部連結箇所で円弧状に連接し、弧状底部２２を形成している。前記両斜辺２１の上端には、ホック受け２を固定するための固定孔４がそれぞれ設けられている。前記ホック受け２の両斜辺２１により形成される夾角の角度は、３０〜１５０度である。この夾角の大きさは、本考案を適用する衣料の種類によって決定すればよい。
【００１３】
ホック受け２とホック鉤１を掛け合わせて連結する場合、ホック鉤１とホック受け２を最初に掛け合わせた段階で、ホック鉤１がホック受け２の中心位置に正確に合わさっていなければ、図３のような位置ずれが起こってしまう。この場合、ホック鉤１をホック受け２の底部２２に合わせることができず、一定の距離ができる。しかし、掛け合わせ時にホック鉤１とホック受け２の位置が正確に合わさっていなくても、ホック鉤１の湾曲鉤部分１１がホック受け２の斜辺２１の上に乗ると、ホック受け２には力Ｆが作用する。図４に示すように、力Ｆがホック受け２の斜辺２１に作用すると、力Ｆは斜辺２１に沿った下向きのスライド力Ｆ１と斜辺２１に垂直な下向きの力Ｆ２とに分解され、下向きのスライド力Ｆ１の作用の下、ホック鉤１は斜辺２１に沿って、ホック鉤１の湾曲鉤部分１１が弧状底部２２に達するまで下向きにスライドする。このとき、図５に示すように、ホック鉤１に作用する力Ｆ０は、ホック受け２の固定孔４の箇所に分解されてホック受け２に作用する力とバランスする。即ち、各固定孔４の箇所で０．５Ｆ０に分解されて、ホック掛け合わせ動作が完了する。このように、正確な位置合わせができていない状況でも、ホック受け２の両斜辺２１の作用を用いることで、ホック鉤１を非常に容易に両斜辺２１に沿わせて弧状底部２２位置に達するまでスライド可能であるとともに、所期の連結固定効果を実現可能である。
【００１４】
本考案で使用するＶ型に類似のホック受けは、そのＶ型開口部分が従来のホック受け開口より大きいため、ホック掛け合わせ時にホック鉤１を嵌め込み易く、ホック掛け合わせ動作をより容易に完了することができる。
【符号の説明】
【００１５】
１    ホック鉤
２    ホック受け
４    固定孔
１１  鉤部分
２１  斜辺
２２  底部
【図１】
0003178233.tif 000003
【図２】
0003178233.tif 000004
【図３】
0003178233.tif 000005
【図４】
0003178233.tif 000006
【図５】
0003178233.tif 000007